【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
カートリッジがドッキングステーションに受容されているときに電気的および流体的接続を確立するためのドッキングステーションの対応するコネクタとの機能的接続および切断用コネクタ、
第１の混合チャンバと第１の収集チャンバとの間の粒子の通過のための第１のオリフィスを含む壁によって分離された第１の混合チャンバおよび第１の収集チャンバ、
第１のオリフィスを通過する粒子を特徴付けるための第１の粒子特徴付け手段
液体サンプルの進入のためのハウジングの外側表面の穴
を有するハウジングを備え、
穴が、液体サンプルをサンプリングするためにハウジング内に位置しそして液体サンプルを受容および保持するための第１の空洞を有する第１のサンプリング部材と連通し、
第１のサンプリング部材が、第１の位置で、第１の空洞が第１の空洞への液体サンプルの進入のために穴と連通状態にあり、第２の位置で、第１の空洞が第１の混合チャンバへの液体サンプルの放出のために第１の混合チャンバと連通状態にあり、これによりサンプリング部材が精密な容量の液体サンプルを受容および保持しそして第１の混合チャンバへサンプルを移動させるように動作するように、ハウジングとの関係で移動可能に位置する、
液体中に懸濁された粒子を特徴付けるためのカートリッジ。
【請求項２】
第２の混合チャンバと第２の収集チャンバとの間の粒子の通過のための第２のオリフィスを含む第２の壁によって分離された第２の混合チャンバおよび第２の収集チャンバ
第２のオリフィスを通過する粒子を特徴付けるための第２の粒子特徴付け手段
をさらに備え、ここで
第２の位置で、第１の空洞が第１の混合チャンバから第１の空洞への液体の進入のために第１の混合チャンバと連通状態にあり、第３の位置で、第１の空洞が第１の空洞中の液体の第２の混合チャンバへの放出のために第２の混合チャンバと連通状態にある請求項１に記載のカートリッジ。
【請求項３】
第２の混合チャンバと第２の収集チャンバとの間の粒子の通過のための第２のオリフィスを含む第２の壁によって分離された第２の混合チャンバおよび第２の収集チャンバ、
第２のオリフィスを通過する粒子を特徴付けるための第２の粒子特徴付け手段、および
第１の混合チャンバから少量で精密な容量の液体をサンプリングするためにハウジング内に位置しそしてサンプリングした液体を受容および保持するための第２の空洞を有し、第１の位置で、第２の空洞が第１の混合チャンバから第１の空洞への液体の進入のために第１の混合チャンバと連通状態にあり、第２の位置で、第２の空洞が第２の混合チャンバへの第２の空洞中のサンプリングされた液体の放出のために第２の混合チャンバと連通状態にあるように、ハウジングとの関係で移動可能に配置されている第２のサンプリング部材
をさらに備える請求項１に記載のカートリッジ。
【請求項４】
第１の混合チャンバへ進入させるべき試薬を保持するために第１の混合チャンバに隣接して位置する試薬チャンバをさらに備える請求項１〜３のいずれか１項に記載のカートリッジ。
【請求項５】
試薬チャンバを第１の混合チャンバから分離する破壊可能なシールをさらに備える請求項４に記載のカートリッジ。
【請求項６】
第１および第２の粒子特徴付け手段のすくなくとも一方が第１および第２の混合チャンバのうちの各自チャンバに第１の電極をそして第１および第２の収集チャンバの各自チャンバに第２の電極を備え、それぞれの電極がカートリッジの外側表面でアクセス可能な各自端子部材と電気的に接続している請求項１〜５のいずれか１項に記載のカートリッジ。
【請求項７】
ハウジングが液体を保持するための第１の液体貯蔵チャンバをさらに備え、第１の液体貯蔵チャンバは、第１のサンプリング部材の第２の位置で、液体が第１の液体貯蔵チャンバから第１のサンプリング部材の第１の空洞を通して液体サンプルと共に第１の混合チャンバに放出されることが可能なように、第１の空洞と連通する請求項１〜６のいずれか１項に記載のカートリッジ。
【請求項８】
ハウジングが第１および第２の空洞の各自チャンバを通して液体サンプルと共に第２の混合チャンバに第２の液体貯蔵チャンバから放出されるべき液体を保持するための第２の液体貯蔵チャンバをさらに備える請求項１〜７のいずれか１項に記載のカートリッジ。
【請求項９】
所定の容量の液体が第１および第２のオリフィスの少なくとも一方を通過した期間の始めおよび終わりを決定するための容量計量手段を備える請求項１〜８のいずれか１項に記載のカートリッジ。
【請求項１０】
容量計量手段が各自収集チャンバと連通する入力と出力とを有する容量計量チャンバを備え、液体の存在が入力および出力のそれぞれで検出される請求項９に記載のカートリッジ。
【請求項１１】
液体の存在が入力に位置する第２の電極および出力に位置するさらなる第２の電極で検出される請求項１０に記載のカートリッジ。
【請求項１２】
液体の存在が光学的に検出される請求項１０に記載のカートリッジ。
【請求項１３】
混合チャンバおよび収集チャンバのそれぞれが、各自オリフィスより上のチャンバ高の実質的部分にわたる各自チャンバの横断面積より実質的に小さい各自オリフィスのレベルでの横断面積を有する請求項１〜１２のいずれか１項に記載のカートリッジ。
【請求項１４】
第１のサンプリング部材の第１の空洞を規定する表面が抗凝固試薬を有する請求項１〜１３のいずれか１項に記載のカートリッジ。
【請求項１５】
第１の液体貯蔵チャンバが血液サンプルの修飾のための化学試薬を保持する請求項１〜１４のいずれか１項に記載のカートリッジ。
【請求項１６】
混合部材が混合チャンバの少なくとも１つに配置されている請求項１〜１５のいずれか１項に記載のカートリッジ。
【請求項１７】
混合部材が磁石式である請求項１６に記載のカートリッジ。
【請求項１８】
液体の特徴付けのためのセンサをさらに備える請求項１〜１７のいずれか１項に記載のカートリッジ。
【請求項１９】
液体の特徴付けのためのセンサが液体の分光測光的特徴付けに適合した請求項１８に記載のカートリッジ。
【請求項２０】
ハウジングが第１および第２の収集チャンバの一方と連通しそして各自オリフィスを通る液体フローを引き起こすためのポンプアクチュエータを有するポンプチャンバをさらに備える請求項１〜１９のいずれか１項に記載のカートリッジ。
【請求項２１】
ポンプアクチュエータがピストンである請求項２０に記載のカートリッジ。
【請求項２２】
ポンプアクチュエータが膜である請求項２０に記載のカートリッジ。
【請求項２３】
カートリッジで第１の位置の第１のサンプリング部材を用いて穴を通じて粒子を含む液体をサンプリングすること、
装置にカートリッジを配置すること、
サンプリング部材を第２の位置へ移動させること、
第２の空洞を通じて液体サンプルと共に第１の混合チャンバへ第１の貯蔵チャンバ中の液体を汲み入れること、
粒子特徴付け測定をなすこと、
装置からカートリッジを取り外すこと、および
カートリッジを廃棄すること
を含む、請求項１〜２２のいずれか１項に記載のカートリッジを備えカートリッジは装置から取り外し可能である粒子特徴付け装置を操作する方法。
【請求項２４】
カートリッジで第１の位置の第１のサンプリング部材を用いて穴を通じて粒子を含む液体をサンプリングすること、
装置にカートリッジを配置すること、
第１のサンプリング部材を第２の位置へ移動させること、
第１の空洞を通じて液体サンプルと共に第１の混合チャンバへ第１の貯蔵チャンバ中の液体を汲み入れること、
第１の位置の第２サンプリング部材で第１の混合チャンバから液体サンプルをサンプリングすること、
第２のサンプリング部材を第２の位置へ移動させること
第２の空洞を通じて液体サンプルと共に第２の混合チャンバへ第２の貯蔵チャンバ中の液体を汲み入れること、
粒子特徴付け測定をなすこと、
装置からカートリッジを取り外すこと、および
カートリッジを廃棄すること
を含む、請求項３または請求項３に従属する請求項４〜２２のいずれか１項に記載のカートリッジを備え、カートリッジは装置から取り外し可能である粒子特徴付け装置を操作する方法。
【請求項２５】
請求項１〜２２のいずれか１項に記載のカートリッジ、および
カートリッジを取り外し可能に受容するための、カートリッジがドッキングステーションに受容されているときの粒子特徴付け手段との機能的な接続のためのコネクタを備えるドッキングステーション
を備える液体中に懸濁された粒子を特徴付けるための装置。
【請求項２６】
カートリッジが第１のオリフィスを通る液体フローを引き起こすために第１の収集チャンバと連通する第１のポートをさらに備え、
ドッキングステーションが、オリフィスを通る液体フローを引き起こす圧力の印加のために、カートリッジがドッキングステーションに受容されているときのカートリッジポートとの気体接続を形成するためのポートをさらに備える請求項２５に記載の装置。
【請求項２７】
請求項２〜２４のいずれか１項に記載のカートリッジを備え、ドッキングステーションが、カートリッジがドッキングステーションに受容されているときの第２の粒子特徴付け手段との機能的な接続のためのコネクタをさらに備える請求項２５または請求項２６に記載の装置。
【請求項２８】
カートリッジが、第２のオリフィスを通る液体フローを引き起こすために第２の収集チャンバと連通する第２のポートをさらに備え、ドッキングステーションが、第２のオリフィスを通る液体フローを引き起こす圧力の印加のために、カートリッジがドッキングステーションに受容されているときの第２のカートリッジポートとの気体接続を形成するための第２のポートをさらに備える請求項２７に記載の装置。